(57)【要約】      （修正有）【課題】ゴミ袋の表面に週単位のカレンダーの日付を印刷しカレンダー紙葉とすることで、カレンダーとゴミ袋の機能を一体化し、全て焼却可能な素材を使用したゴミ捨てサイクル週めくりカレンダーを提供する。【解決手段】焼却しても有害ガスが発生しないポリエチレン素材で出来たゴミ袋に、焼却しても有害ガスが発生しないインクで週単位のカレンダーの日付を印刷した後に上部数カ所に穴を設け、ゴミ袋で出来た週単位のカレンダー紙葉１年分の束を重ねてなるカレンダー紙葉部と、厚紙素材を型抜きし組み立てる。さらに、一辺にカレンダー紙葉部を吊り下げる為の数カ所の片を有する細長い箱状のハンガー部とからなるゴミ袋とカレンダーの機能を一体化してカレンダーとする。一週間ごとに不要となるゴミ袋で出来た週単位のカレンダー紙葉は、ハンガー部より脱却しゴミ袋として再利用する。【選択図】図１
0003161966.tif 000002
【実用新案登録請求の範囲】
【請求項１】
ゴミ捨てのサイクルと週めくりカレンダーを一体化したゴミ袋とカレンダーの機能を供えたカレンダーで、本体全て焼却ゴミ処理できるカレンダーに関するものでカレンダーとしての用途は無論のこと、不要となったカレンダーの紙葉はハンガー部分より切り取りゴミ袋として再利用され、また、一年が経過しゴミ袋を使い切れば、ゴミ袋を吊り下げていた厚紙等で出来ているハンガー部分も燃えるゴミとなることで、無駄を省いた省エネを考慮したカレンダーを特徴とするゴミ捨てサイクル週めくりカレンダー
【考案の詳細な説明】
【技術分野】
【０００１】  本考案は、ゴミ捨てのサイクルと週めくりカレンダーを一体化したゴミ袋とカレンダーの機能を供えたカレンダーで、本体全て焼却ゴミ処理できるゴミ捨てサイクル週めくりカレンダーに関するものである
【背景技術】
【０００２】  カレンダー表記された箱中にゴミ袋を収めたものや全焼却できない日めくりカレンダーとゴミ袋を一体化したものはあった。ゴミ袋はゴミを処分する目的だけのものとして保管されているものが一般的で、また、壁掛けカレンダーは日常生活の曜日や予定を確認するものとして使用され、日が過ぎれば不要になりゴミとなっていた。
【先行技術文献】
【特許文献】
【０００３】
【特許文献１】特許出願２００２−３５１４２４
【特許文献２】実用新案出願平４−６８９９９
【考案の概要】
【考案が解決しようとする課題】
【０００４】  一般的にゴミ回収は週単位で行なわれており、ゴミ捨てに必要なゴミ袋はゴミを捨てる目的だけのものとして保管する収納スペースが必要であった。壁掛けタイプのカレンダーは一般的に紙で出来ているものが多く、日が過ぎて不要になったカレンダー紙葉はゴミとなっていた。週単位で使用するゴミ袋の機能と壁掛けタイプの週めくりカレンダーの機能を一体化することによりゴミ袋の収納スペースが不要となり、日が過ぎて不要になったカレンダー紙葉はゴミ袋として使用できることで、前述の欠点を解決しようとするものである。
【課題を解決するための手段】
【０００５】  本考案は、焼却しても有害ガスが発生しないポリエチレン等の素材で出来たゴミ袋の表面に週単位のカレンダーの日付を１月の第一週目の一枚から１２月の最終週の一枚まで印刷した１年分のゴミ袋カレンダー紙葉全てに吊り下げる為の穴数カ所と脱着しやすくする為のミシン目を上部に施し上下左右整え重ね合わせた束の吊り下げる為の各穴に、焼却しても有害ガスが発生しない厚紙等の素材を用いて週単位のカレンダーの日付を印刷したゴミ袋カレンダー紙葉を吊り下げる為のハンガー部の一辺に週単位のカレンダーの日付を印刷したゴミ袋カレンダー紙葉に設けた全穴に通す為の片を週単位のカレンダーの日付を印刷したゴミ袋カレンダー紙葉を吊り下げる為の全穴の位置に整合するように同箇所分設け折り曲げて組み立てると長方形の立方体になるようハンガー部を形成し週単位のカレンダーの日付を印刷したゴミ袋カレンダー紙葉を吊り下げる為のハンガー部の各片を通したまま週単位のカレンダーの日付を印刷したゴミ袋を吊り下げる為のハンガー部を長方形の立方体になるよう折り曲げ組み立て、週単位のカレンダーの日付を印刷したゴミ袋を吊り下げる為のハンガー部の正面左右真ん中上部に設けた本考案のゴミ捨てサイクル週めくりカレンダーを吊り下げる為の穴に、壁に設けたフック等に吊り下げることにより問題点を解決している。
【考案の効果】
【０００６】  上述の様に、本考案のゴミ捨てサイクル週めくりカレンダーは、カレンダーとしての用途は無論のこと、不要となったカレンダーの紙葉はハンガー部分より切り取りゴミ袋として再利用され、また、一年が経過しゴミ袋を使い切れば、ゴミ袋を吊り下げていた厚紙等で出来ているハンガー部分も燃えるゴミとなる為、無駄を省いた省エネを考慮したものとして役立つ。
【図面の簡単な説明】
【０００７】
【図１】ゴミ捨てサイクル週めくりカレンダー全体の斜視図
【図２】ゴミ捨てサイクル週めくりカレンダー全体の正面図
【図３】ゴミ捨てサイクル週めくりカレンダー全体の側面図
【図４】カレンダーの日付が印刷されたゴミ袋カレンダー紙葉を吊らすハンガー部の展開図
【図５】カレンダーの日付が印刷されたゴミ袋カレンダー紙葉の表紙と第１週目、第２週目の正面図
【図６】カレンダーの日付が印刷されたゴミ袋カレンダー紙葉の表紙、第１週目、第２週目がハンガーから取り外された斜視図と第３週目以降の斜視図
【図７】カレンダーの日付が印刷されたゴミ袋カレンダー紙葉にゴミが入った状態の斜視図
【考案を実施するための形態】
【０００８】  本考案のゴミ捨てサイクル週めくりカレンダーは、カレンダー紙葉部であるゴミ袋を吊るす為のハンガー部分と週単位の日付を印刷したカレンダー紙葉部であるゴミ袋とからなり、ハンガー部分は、厚紙等を用いてハンガー部の一辺にカレンダー紙葉部であるゴミ袋本体の吊るす為の穴に通す為の片を設け、組み立てると長方形の立方体になるよう形成し、また、カレンダー紙葉部であるゴミ袋は、ポリエチレン等の素材を用いてゴミ袋の表面に週単位の日付を印刷し上部に吊り下げる為の穴を数カ所設け、さらに容易にハンガー部より取り外せるようにミシン目を施し、一年分のカレンダーに必要な枚数を日付順に上下左右整え重ね合わせた束の吊り下げる為の各穴にハンガー部の各片を通したままハンガー部を長方形の立方体に組み立てて、壁等に設けたフックに掛けカレンダーとして使用し、カレンダーとして不要になったカレンダー紙葉部はゴミ袋として再利用し、一年経過すればハンガー部分も燃えるゴミとして処分できる。
【実施例】
【０００９】  以下、添付図に従って実施例を説明する。ゴミ捨てサイクル週めくりカレンダーは「図１」焼却しても有害ガスが発生しない厚紙等の素材を用いて、週単位のカレンダーの日付を焼却しても有害ガスが発生しないインクで印刷したゴミ袋カレンダー紙葉の表紙から一年分の束を吊り下げる為のハンガー部Ａと焼却しても有害ガスが発生しないポリエチレン等の素材で出来た週単位のカレンダーの日付を焼却しても有害ガスが発生しないインクで印刷したゴミ袋カレンダー紙葉Ｂの表紙と週めくりカレンダー一年分の束からなる。「図４」ハンガー部Ａは、正面Ａ１の正面左から順に７曜日の日曜Ａ１−１、月曜Ａ１−２、火曜Ａ１−３、水曜Ａ１−４、木曜Ａ１−５、金曜Ａ１−６、土曜Ａ１−７を等間隔に焼却しても有害ガスが発生しないインクで印刷し、正面Ａ１の長辺Ａ１−アにゴミ袋カレンダー紙葉Ｂを吊り下げる為の穴Ｂ１−１、Ｂ１−２、Ｂ１−３、Ｂ１−４、Ｂ１−５に差し込む為の片Ａ２−１、Ａ２−２、Ａ２−３、Ａ２−４、Ａ２−５を等間隔に連設し、正面Ａ１左側辺Ａ１−イに一片Ａ１−イ−１を連設し、正面Ａ１右側辺Ａ１−ウに一片Ａ１−ウ−１を連設し、ハンガー部Ａの上面Ａ３の上部長辺Ａ３−アに沿って左右中央に一片Ａ２−３を通す為の長方形の穴Ａ３−ア−１を施し、上面Ａ３の左側辺Ａ３−イに一片Ａ３−イ−１を連設しその中央に長方形の穴Ａ３−イ−２を施し、上面Ａ３の右側辺Ａ３−ウに一片Ａ３−ウ−１を連設しその中央に長方形の穴Ａ３−ウ−２を施し、ハンガー部Ａの後面Ａ４の長辺Ａ３−アに沿って左側に片Ａ２−１、Ａ２−２を通す為の長方形の穴Ａ４−ア−１、Ａ４−ア−２と右側に片Ａ２−４、Ａ２−５を通す為の長方形の穴Ａ３−ア−３、Ａ３−ア−４を施し、ハンガー部Ａの後面Ａ４の左側辺Ａ４−イに一片Ａ４−イ−１を連設し、後面Ａ４右側辺Ａ４−ウに一片Ａ４−ウ−１を連設し、後面Ａ４の長辺Ａ４−アに片Ａ２−１、Ａ２−２、Ａ２−４、Ａ２−５がずれないように溝Ａ４−ア−１、Ａ４−ア−２、Ａ４−ア−３、Ａ４−ア−４を施し、後面Ａ４左側辺Ａ４−イに一片Ａ４−イ−１を連設し、後面Ａ４右側辺Ａ４−ウに一片Ａ４−ウ−１を連設し、一片Ａ２−３の尖端中央部に本考案を吊る為の穴Ａ２−３−１を施しておく。「図５」ゴミ袋カレンダー紙葉Ｂの表紙から一年の最終週までのゴミ袋カレンダー紙葉全てに片Ａ２−１、Ａ２−２、Ａ２−３、Ａ２−４、Ａ２−５を通す為の穴Ｂ１−１、Ｂ１−２、Ｂ１−３、Ｂ１−４、Ｂ１−５とハンガー部Ａから脱着しやすくする為のミシン目Ｂ１−６を施し、ゴミ袋カレンダー紙葉Ｂの表紙Ｂ１の表面に表紙タイトルＢ１−アを印刷し、ゴミ袋カレンダー紙葉Ｂの２枚目Ｂ２の表面にカレンダーの年度Ｂ２−ア、１２ヵ月Ｂ２−イ、各週の日付Ｂ２−ウを上下５段に分けた最上段から印刷し、次週のゴミ袋カレンダー紙葉Ｂの３枚目Ｂ３の表面にカレンダーの年度Ｂ３−ア、１２ヵ月Ｂ３−イ、前週の２枚目Ｂ２の日付の文字に重ならないように次の下段に週単位で日付Ｂ３−ウを印刷し、以降前週の日付の文字に重ならないように順に印刷し最下段の５段目になると次の週は最上段に戻り印刷し、１月から１２月分を順に重ね合わせた束全てのゴミ袋カレンダー紙葉Ｂの吊り下げる為の���Ｂ１−１、Ｂ１−２、Ｂ１−３、Ｂ１−４、Ｂ１−５にハンガー部Ａの片Ａ２−１、Ａ２−２、Ａ２−３、Ａ２−４、Ａ２−５を通した後、片Ａ２−１、Ａ２−２、Ａ２−４、Ａ２−５を第一折部Ａ２−１−ア、Ａ２−２−ア、Ａ２−４−ア、Ａ２−５−アから山折に折り、第二折部Ａ２−１−イ、Ａ２−２−イ、Ａ２−４−イ、Ａ２−５−イから山折に折り、後面Ａ４の溝Ａ４−エ−１、Ａ４−エ−２、Ａ４−エ−３、Ａ４−エ−４に填めてハンガー部Ａの後面Ａ４の外側を回しながら第三折部Ａ２−１−ウ、Ａ２−２−ウ、Ａ２−４−ウ、Ａ２−５−ウから山折に折りながら後面Ａ４の長方形の穴Ａ４−ア−１、Ａ４−ア−２、Ａ４−ア−３、Ａ４−ア−４に填めて留め、次にハンガー部Ａの片Ａ２−３を第一折部Ａ２−３−アから山折に折り、第二折部Ａ２−３−イから山折に折りながらハンガー部Ａの後面Ａ４の内側を回し上面Ａ３にある長方形の穴Ａ３−ア−３に通す。次にハンガー部Ａの上面Ａ３の左側の一片Ａ３−イ−１を辺Ａ３−イより山折に折り、ハンガー部Ａの正面Ａ１左側の一片Ａ１−イ−１を辺Ａ１−イより内側に折りながら辺Ａ１−イ−２より内側に折り、長方形の穴Ａ３−イ−２に填める。同じくハンガー部Ａの後面Ａ４の左側の一片Ａ４−イ−１を辺Ａ４−イより山折に折りながら辺Ａ４−イ−２より山折に折り、長方形の穴Ａ３−イ−２に填める。更にハンガー部Ａの上面Ａ３の右側の一片Ａ３−ウ−１を辺Ａ３−ウより山折に折り、ハンガー部Ａの正面Ａ１右側の一片Ａ１−ウ−１を辺Ａ１−ウより内側に折りながら辺Ａ１−ウ−２より山折に折り、長方形の穴Ａ３−ウ−２に填める。同じくハンガー部Ａの後面Ａ４の右側の一片Ａ４−ウ−１を辺Ａ４−ウより山折に折ながら辺Ａ４−ウ−２より山折に折り、長方形の穴Ａ３−ウ−２に填めることで「図１」ゴミ捨てサイクル週めくりカレンダーとなる。次に、「図６」不要となったゴミ袋カレンダー紙葉Ｂはゴミ袋カレンダー紙葉Ｂの正面左端から右の穴Ｂ１−５まで施したミシン目Ｂ１−６にて切りハンガー部Ａより脱着してミシン目Ｂ１−６部分から袋状に開き、中にゴミを収めゴミ袋カレンダー紙葉の口を留める為の帯Ｂ１−７でゴミ袋カレンダー紙葉の口を縛りゴミとして廃棄する。
【産業上の利用可能性】
【００１０】  本考案のゴミ捨てサイクル週めくりカレンダーは、ゴミを捨てる為だけのゴミ袋でなく、曜日や予定を確認する為だけのカレンダーだけでなく、ゴミ袋と週めくりカレンダーを一体化することで２つの無駄な部分を無くし日常生活に便利で安価な商品となり、また、デザインを施すことによりインテリア商品としても魅力的なものとなる。さらに、ゴミ袋はポリエチレン等の素材を使用し、ゴミ袋を吊るす為のハンガー部は厚紙等で出来ている為、全てが焼却しても有害ガスが発生しない燃えるゴミとして処理できることで、無駄を省いた省エネを考慮した商品となりうる。
【符号の説明】
【００１１】Ａ            ゴミ袋カレンダー紙葉Ｂの表紙と一年分の束を吊るす為のハンガー部
Ａ１          ハンガー部Ａ正面
Ａ１−１      日曜を印字
Ａ１−２      月曜を印字
Ａ１−３      火曜を印字
Ａ１−４      水曜を印字
Ａ１−５      木曜を印字
Ａ１−６      金曜を印字
Ａ１−７      土曜を印字
Ａ１−ア      ハンガー部Ａ正面Ａ１に片Ａ２−１、Ａ２−２、Ａ２−３、Ａ２−４、Ａ              ２−５が連設する長辺
Ａ１−イ      ハンガー部Ａ正面Ａ１左側辺及び一片Ａ１−イ−１を折る為の第一折り部
Ａ１−イ−１  ハンガー部Ａ左側面の一片Ａ３−イ−１にある長方形の穴Ａ３−イ−２に              填める為の一片
Ａ１−イ−２  ハンガー部Ａ左側面の一片Ａ１−イ−１の第二折り部
Ａ１−ウ      ハンガー部Ａ正面Ａ１右側辺及び一片Ａ１−ウ−１を折る為の第一折り部
Ａ１−ウ−１  ハンガー部Ａ右側面の一片Ａ３−ウ−１にある長方形の穴Ａ３−ウ−２に              填める為の一片
Ａ１−ウ−２  ハンガー部Ａ右側面の一片Ａ１−ウ−１の第二折り部
Ａ２−１      ゴミ袋カレンダー紙葉Ｂを吊り下げる為の穴Ｂ１−１に通す為の一片
Ａ２−１−ア  ハンガー部Ａ下面の一片Ａ２−１が正面Ａ１と連設する辺及び折る為の第              一折り部
Ａ２−１−イ  ハンガー部Ａ下面の一片Ａ２−１を折る為の第二折り部
Ａ２−１−ウ  ハンガー部Ａ下面の一片Ａ２−１を折る為の第三折り部
Ａ２−２      ゴミ袋カレンダー紙葉Ｂを吊り下げる為の穴Ｂ１−２に通す為の一片
Ａ２−２−ア  ハンガー部Ａ下面の一片Ａ２−２が正面Ａ１と連設する辺及び折る為の第              一折り部
Ａ２−２−イ  ハンガー部Ａ下面の一片Ａ２−２を折る為の第二折り部
Ａ２−２−ウ  ハンガー部Ａ下面の一片Ａ２−２を折る為の第三折り部
Ａ２−３      ゴミ袋カレンダー紙葉Ｂを吊り下げる為の穴Ｂ１−３に通す為と本考案の              ゴミ捨てサイクル週めくりカレンダーを吊るす為の一片
Ａ２−３−ア  ハンガー部Ａ下面の一片Ａ２−３が正面Ａ１と連設する辺及び折る為の第              一折り部
Ａ２−３−イ  ハンガー部Ａ下面の一片Ａ２−３を折る為の第二折り部
Ａ２−３−１  本考案のゴミ捨てサイクル週めくりカレンダーを吊るす為の穴
Ａ２−４      ゴミ袋カレンダー紙葉Ｂを吊り下げる為の穴Ｂ１−４に通す為の一片
Ａ２−４−ア  ハンガー部Ａ下面の一片Ａ２−４が正面Ａ１と連設する辺及び折る為の第              一折り部
Ａ２−４−イ  ハンガー部Ａ下面の一片Ａ２−４を折る為の第二折り部
Ａ２−４−ウ  ハンガー部Ａ下面の一片Ａ２−４を折る為の第三折り部
Ａ２−５      ゴミ袋カレンダー紙葉Ｂを吊り下げる為の穴Ｂ１−５に通す為の一片
Ａ２−５−ア  ハンガー部Ａ下面の一片Ａ２−５が正面Ａ１と連設する辺及び折る為の第              一折り部
Ａ２−５−イ  ハンガー部Ａ下面の一片Ａ２−５を折る為の第二折り部
Ａ２−５−ウ  ハンガー部Ａ下面の一片Ａ２−５を折る為の第三折り部
Ａ３          ハンガー部Ａ上面
Ａ３−ア      ハンガー部Ａ上面Ａ３の後面Ａ４に連設する長辺
Ａ３−ア−１  ゴミ袋カレンダー紙葉Ｂを吊り下げる為の一片Ａ２−３を通す為の穴
Ａ３−イ      ハンガー部Ａ上面Ａ３左側辺及び一片Ａ３−イ−１を折る為の第一折り部
Ａ３−イ−１  ハンガー部Ａ上面Ａ３左側面に連設する一片
Ａ３−イ−２  ハンガー部Ａ上面Ａ３左側面に連設する一片にある一片Ａ１−イ−１と一              片Ａ４−イ−１を填める為の穴
Ａ３−ウ      ハンガー部Ａ上面Ａ３右側辺及び一片Ａ３−ウ−１を折る為の第一折り部
Ａ３−ウ−１  ハンガー部Ａ上面Ａ３右側面に連設する一片
Ａ３−ウ−２  ハンガー部Ａ上面Ａ３右側面に連設する一片にある一片Ａ１−ウ−１と一              片Ａ４−ウ−１を填める為の穴
Ａ４          ハンガー部Ａ後面
Ａ４−ア      ハンガー部Ａ後面４の切断長辺
Ａ４−ア−１  ゴミ袋カレンダー紙葉Ｂを吊り下げる為の一片Ａ２−１を填める為の穴
Ａ４−ア−２  ゴミ袋カレンダー紙葉Ｂを吊り下げる為の一片Ａ２−２を填める為の穴
Ａ４−ア−３  ゴミ袋カレンダー紙葉Ｂを吊り下げる為の一片Ａ２−４を填める為の穴
Ａ４−ア−４  ゴミ袋カレンダー紙葉Ｂを吊り下げる為の一片Ａ２−５を填める為の穴
Ａ４−イ      ハンガー部Ａ後面Ａ４左側辺及び一片Ａ４−イ−１を折る為の第一折り部
Ａ４−イ−１  ハンガー部Ａ左側面の一片Ａ３−イ−１にある長方形の穴Ａ３−イ−２に              填める為の一片
Ａ４−イ−２  ハンガー部Ａ左側面の一片Ａ４−イ−１の第二折り部
Ａ４−ウ      ハンガー部Ａ後面Ａ４右側辺及び一片Ａ４−ウ−１を折る為の第一折り部
Ａ４−ウ−１  ハンガー部Ａ右側面の一片Ａ３−ウ−１にある長方形の穴Ａ３−ウ−２に              填める為の一片
Ａ４−ウ−２  ハンガー部Ａ右側面の一片Ａ４−ウ−１の第二折り部
Ａ４−エ−１  ゴミ袋カレンダー紙葉Ｂを吊り下げる為の一片Ａ２−１を填める為の溝
Ａ４−エ−２  ゴミ袋カレンダー紙葉Ｂを吊り下げる為の一片Ａ２−２を填める為の溝
Ａ４−エ−３  ゴミ袋カレンダー紙葉Ｂを吊り下げる為の一片Ａ２−４を填める為の溝
Ａ４−エ−４  ゴミ袋カレンダー紙葉Ｂを吊り下げる為の一片Ａ２−５を填める為の溝
Ｂ            表紙と一年分のカレンダーの日付が印刷されたゴミ袋カレンダー紙葉
Ｂ１          表紙のタイトルが印刷されたゴミ袋カレンダー紙葉
Ｂ１−１      ハンガー部Ａの一片Ａ２−１を通す為の穴
Ｂ１−２      ハンガー部Ａの一片Ａ２−２を通す為の穴
Ｂ１−３      ハンガー部Ａの一片Ａ２−３を通す為の穴
Ｂ１−４      ハンガー部Ａの一片Ａ２−４を通す為の穴
Ｂ１−５      ハンガー部Ａの一片Ａ２−５を通す為の穴
Ｂ１−６      ゴミ袋カレンダー紙葉Ｂに施したミシン目
Ｂ１−７      ゴミ袋カレンダー紙葉Ｂの口を縛る為の帯
Ｂ１−ア      印刷された表紙のタイトル文字
Ｂ２          カレンダーの第１週目の日付が印刷されたゴミ袋カレンダー紙葉
Ｂ２−ア      印刷された年度の文字
Ｂ２−イ      印刷された月の文字
Ｂ２−ウ      印刷された第一週目の日付の文字
Ｂ３          カレンダーの第２週目の日付が印刷されたゴミ袋カレンダー紙葉
Ｂ３−ア      印刷された年度の文字
Ｂ３−イ      印刷された月の文字
Ｂ３−ウ      印刷された第２週目の日付の文字
Ｂ            ゴミ
【図１】
0003161966.tif 000003
【図２】
0003161966.tif 000004
【図３】
0003161966.tif 000005
【図４】
0003161966.tif 000006
【図５】
0003161966.tif 000007
【図６】
0003161966.tif 000008
【図７】
0003161966.tif 000009
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
焼却しても有害ガスが発生しないポリエチレン素材で出来たゴミ袋に、焼却しても有害ガスが発生しないインクで週単位のカレンダーの日付を印刷した後に上部数カ所に穴を設け、ゴミ袋で出来た週単位のカレンダー紙葉１年分の束を重ねてなるカレンダー紙葉部と、厚紙素材を型抜きし組み立ててなり、一辺にカレンダー紙葉部を吊り下げる為の数カ所の片を有する細長い箱状のハンガー部とからなるゴミ袋とカレンダーの機能を一体化したカレンダーであって、一週間ごとに不要となるゴミ袋で出来た週単位のカレンダー紙葉は、ハンガー部より脱却しゴミ袋として再利用され、無駄を省いた省エネを考慮したカレンダーを特徴とするゴミ捨てサイクル週めくりカレンダー。